(57)【特許請求の範囲】
【請求項１】
前後二枚の可撓性ある第１シート２ａ，２ｂを重合せ、それ等両第１シートの左右両側部３，３と上端部４とをそれぞれ接合させた袋状部で、少くとも容器体上半部を形成した可撓性のチューブ状容器体１と、上記前面側の第１シート２ａの上部内面へ一体的に接合させた可撓性および耐水性ある第２シート８の上下両部から、該第２シートを接合させた第１シート部分を貫通して、上方からは容器体内収納物注出用のノズル９を、下方からはそのノズル外面へ着脱自在に、かつ気密に嵌合できる基端面閉塞の口蓋状筒１０を、それぞれ前方突出する着脱部材７とからなり、それ等ノズル９と口蓋状筒１０との間の各シート部分の長さを、それ等ノズルと口蓋状筒との中間部分屈曲により、ノズル９外面へ口蓋状筒１０を気密に嵌合させることが可能に設定したことを特徴とする合成樹脂製チューブ状容器
【発明の詳細な説明】
【０００１】
【産業上の利用分野】
本発明は、例えばクリーム状物を胴部押圧によりノズルから注出可能に設けたチューブ状容器に関する。
【０００２】
【従来の技術】
例えば広く使用されている合成樹脂製のチューブ容器は、円筒状筒体下端を板状に潰してその下端を溶着等させると共に、口頸部下端から下外方へ肩部をテーパ状に突出させ、かつその肩部外周から嵌合筒部を垂下した肩部材を、その嵌合筒部を上記筒体の上端部内へ嵌合させて一体に接合させ、又上記口頸部に口キャップを嵌合させて形成している。
【０００３】
【発明が解決しようとする課題】
上記従来のチューブ容器は、容器胴部としての筒体と肩部材との接合に手数を要し、又口キャップを別に必要とするからその取外し時にその口キャップの置場に困る等の欠点を有した。
【０００４】
本発明は、可撓性の第１シートを二枚重ねとした袋状部で容器上半を形成し、前面第１シートの上部内面に接合させた可撓性の第２シートの上部からはノズルを、又下部からはそのノズルへ嵌合用の口蓋状筒を第１シートを貫通させて前方へ突出させておき、容器胴部の圧搾により上記ノズルから収納物が注出できると共に、そのノズル閉塞の際は上記ノズルと口蓋状筒との中間容器部分屈曲により上記口蓋状筒をノズル外面へ気密に嵌合できるよう設け、もって上記従来の欠点を除去するものである。
【０００５】
【課題を解決するための手段】
前後二枚の可撓性ある第１シート２ａ，２ｂを重合せ、それ等両第１シートの左右両側部３，３と上端部４とをそれぞれ接合させた袋状部で、少くとも容器体上半部を形成した可撓性のチューブ状容器体１と、上記前面側の第１シート２ａの上部内面へ一体的に接合させた可撓性および耐水性ある第２シート８の上下両部から、該第２シートを接合させた第１シート部分を貫通して、上方からは容器体内収納物注出用のノズル９を、下方からはそのノズル外面へ着脱自在に、かつ気密に嵌合できる基端面閉塞の口蓋状筒１０を、それぞれ前方突出する着脱部材７とからなり、それ等ノズル９と口蓋状筒１０との間の各シート部分の長さを、それ等ノズルと口蓋状筒との中間部分屈曲により、ノズル９外面へ口蓋状筒１０を気密に嵌合させることが可能に設定した。
【０００６】
【作用】
図１が示す、容器体上端部４を上方へ伸ばした状態で容器体胴部を押圧すると、容器体内が加圧されることで容器体内収納物がノズル９を通って注出される。
【０００７】
収納物取出しが終わった後、図２が示すように容器体上部を前方へ屈曲してノズル９を下方の口蓋状筒１０内へ嵌合させる。上記屈曲の際、前面側の第１シート２ａに接合された第２シート８と後面側の第１シート２ｂとは、屈曲されるに従って図２のように次第に容器上方側から次第に接触することとなり、図４のようにノズル９外面へ口蓋状筒１０を嵌合させた状態では、第２シート８を接合した前面側第１シート２ａと後面側の第１シート２ｂとは共に同一の曲率半径で屈曲しようとするため、上記第２シート８に対して後面側第１シート２ｂは気密に圧接することとなる。よってノズル９が口蓋状筒１０によって密閉されるだけでなく、そのノズルの基端面を含めて容器体内からノズルにいたる容器体内上方部分が後面側第１シート２ｂと第２シート８との圧接により密閉されることとなる。
【０００８】
【実施例】
１は前後二枚の可撓性ある耐水性の帯状第１シート２ａ，２ｂを前後に重合せ、それ等両第１シートの左右両側部３，３と上端部４とを共に接合させた袋状部で、少くとも上半部を形成した合成樹脂製容器体である。容器体下半部も上半部と同様に形成してもよく、又図示例のように上記袋状部下端面を底壁接合により閉塞してもよい。前後の第１シート２ａ，２ｂおよび底壁は、耐水性の合成樹脂製フィルムでシートの内外面を、又保香性、酸素不透過性の各合成樹脂製フィルムを上記耐水性フィルム間に挟んだ積層シートで形成するとよい。尚底壁は肉厚の合成樹脂製板で形成してもよい。前面側の第１シート２ａ上部の上下には、後述ノズルおよび口蓋状筒貫通孔５，５をそれぞれ穿設しておく。
【０００９】
上記前面側の第１シート２ａの上部内面には、着脱部材７の可撓性および耐水性ある第２シート８を一体的に接合させる。第２シート８の上部前面からはノズル９を、又下方からは基筒面閉塞の口蓋状筒１０を突出し、それ等ノズルおよび口蓋状筒は上記貫通孔５，５から前方へ突出する。ノズル９は図４が示すように容器体上部を前方へ屈曲させることで、口蓋状筒１０内へ気密に嵌合できるよう設ける。着脱部材７は合成樹脂材で一体成形している。
【００１０】
【発明の効果】
本発明は、既述構成としたから、、従来のチューブ容器のように別部材である口キャップを設けてこれを口頸部としてのノズル外面へ嵌合させなくてもよく、よってノズルから取外した口キャップの置場に困るようなことがなく、又容器体の少くとも上半部は、前後二枚の第１シート２ａ，２ｂを重合せ、それ等両シートの左右両側部および上端部を共に接合させて形成するから、又その前面側第１シート２ａの上部内面へ接合させた第２シート８の上下両部から、第１シートを貫通させてノズル９と口蓋状筒１０とを前方突出させたから、図４が示すように、それ等ノズルと口蓋状筒との間の容器体部分を前方へ屈曲させてノズル９を口蓋状筒１０内へ嵌合させた際、ノズルが口蓋状筒１０によって密閉されるだけでなく、そのノズルの基端面を含めて容器体内からノズルにいたる容器体内上方部分が後面側第１シート２ｂと第２シート８との圧接により密閉されるため、その密閉を極めて確実とすることが出来る。
【００１１】
更に上記のようにノズル９外面へ口蓋状筒１０を嵌合させた状態で下方へ屈曲された容器体の上端部４と口蓋状筒１０下方の前面側第１シート部分との間には図４が示すように間隙Ｌが形成されることとなり、よって容器体上端部４を持ち、上方へ引上げることでノズル６を口蓋状筒１０から外すことも容易に行うことが出来る。
【図面の簡単な説明】
【図１】ノズル開孔状態で示す、本発明容器の斜視図である。
【図２】図１要部の縦断面図である。
【図３】ノズル孔閉塞状態で示す、本発明容器の斜視図である。
【図４】図３要部の縦断面図である。
【符号の説明】
２ａ  前面側第１シート    ２ｂ  後面側第１シート
４  上端部              ７  着脱部材
９  ノズル              １０  口蓋状筒
【図１】
0003593174.tif 000002
【図２】
0003593174.tif 000003
【図３】
0003593174.tif 000004
【図４】
0003593174.tif 000005